(57)【要約】【課題】高強度、軽量、高通気性、高充填性を有し、折りたたみ及び繰り返し使用が可能で、農産物輸送に好適なフレキシブル容器の提供。【解決手段】一次大間隔メッシュ組織と、その内部に形成された二次小間隔メッシュ組織との複合メッシュ組織を有する合成繊維編織物から形成され、それを構成する合成繊維糸条の少なくとも露出表面が合成樹脂により被覆されているフレキシブルメッシュを用いて農産物輸送用器を構成する。【選択図】図２
0003119799.tif 000002
【実用新案登録請求の範囲】
【請求項１】
天部開放箱型容器１であって、この容器を構成し、かつ互に連続し又は縫合された底面部２及び４つの側面部３の各々が、合成繊維から構成され、かつ複合メッシュ組織を有する編織物からなり、
（Ａ）前記編織物の複合メッシュ組織が、前記編織物の経及び緯方向に伸び、互に間隔をおいて配置された複数の経方向広幅帯状部５及び緯方向広幅帯状部６とにより構成された一次大間隔メッシュ組織、並びに前記経方向広幅帯状部５の互に隣りあう１対の間に配置され、かつ前記経方向広幅帯状部５の幅の１／２以下の幅を有する複数の経方向細幅帯状部７及び、前記緯方向広幅帯状部６の互に隣り合う１対の間に配置され、かつ前記緯方向広幅帯状部６の幅の１／２以下の幅を有する複数の緯方向細幅帯状部８により構成された二次小間隔メッシュ組織を含むものであり、
（Ｂ）前記経および緯方向の広幅帯状部５及び６のそれぞれの互に隣りあう１対の間隙が、前記広幅帯状部５及び６のそれぞれの幅よりも大きく、かつ
（Ｃ）前記編織物を構成する合成繊維糸条の少なくとも露出表面が、合成樹脂により被覆されていることを特徴とする、農産物輸送用フレキシブルメッシュ容器。
【請求項２】
前記箱状容器１が、少なくとも１対の吊りベルト４を装備しており、前記吊りベルト４の各々が、前記箱状容器１の互に対向する側面部３の外側面及び底面部２の下面に、２本の補強ベルト４ａを互に平行に縫着し、前記２本の補強ベルトの、前記側面部３の各々の上方に伸び出ている上端部４ｂをループ状に互に連続させたものである、請求項１に記載の農産物輸送用フレキシブルメッシュ容器。
【請求項３】
前記天部開放箱状容器１の内側に、合成樹脂被覆メッシュ材料により形成された、仕切りが形成されている、請求項１又は２に記載の農産物輸送用フレキシブルメッシュ容器。
【請求項４】
前記天部開放箱状容器１の前記底面部２が１，５００〜４０，０００cm2の面積を有し、かつ、前記底面部２に直角をなす前記側面部３の高さが４０〜２００cmの範囲内にある、請求項１〜３のいずれか１項に記載の農産物輸送用フレキシブルメッシュ容器。
【請求項５】
前記編織物の複合メッシュ組織において、前記一次大間隔メッシュ構造の経及び緯方向の、互に隣り合う広幅帯状部の中心間隔が、それぞれ２０〜３０cmであり、前記経及び緯方向広幅帯状部５，６の幅がそれぞれ４〜１０cmであり、しかも、前記経及び緯方向広幅帯状部５，６の間隔より小さく、前記二次小間隔メッシュ構造の経及び緯方向の互に隣り合う細幅帯状部７，８の中心間隔が、それぞれ１．５〜４．０cmであり、かつ前記経及び緯方向細幅帯状部７，８の幅が、それぞれ０．５〜１．５cmである、請求項１〜４のいずれか１項に記載の農産物輸送用フレキシブルメッシュ容器。
【考案の詳細な説明】
【技術分野】
【０００１】
本考案は、農産物、例えば、じゃがいも（塊茎）、さつま芋（塊根）、たまねぎ（鱗茎）などの地下茎農産物を、産地から、消費地まで、大量輸送するために用いるフレキシブルメッシュ容器に関するものである。
【背景技術】
【０００２】
米、麦、大豆、小豆などの穀物の輸送とその倉庫保管には、麻袋、綿袋、ポリエチレンのテープヤーンで織られた袋、ポリプロピレンのテープヤーンで織られた袋などの通気性を有するフレキシブルバッグが用いられ、特に大量輸送用にはバッグ本体に繊維製横ベルトと縦ベルトとを格子状に配置し、縫付けて補強したものが用いられている（特許文献１：実用新案登録第３０９７０６０号公報）。しかしじゃがいも、さつま芋、タマネギなどの地下茎農作物の輸送において、これら穀物用のフレキシブルバックを大型化して地下茎農作物の充填すると、バッグ本体が提灯状に軟弱変形して取り扱いが不自由となり、また塊状物の高充填によって圧力変形したバッグは繰り返し再使用が不可能になる。このため、本質的にフレキシブルバッグによる輸送は困難とされていた。それ故、地下茎農作物の大量輸送には耐荷重強度と形態安定性における高い信頼性が必要であり、このため、金網パネルを側壁とする箱状容器や、金属製材料・プラスチック材料によって格子構造が設けられた側壁を有する箱状容器などが用いられ、特にこれらの頑強な箱状容器は、形態安定性に優れており、輸送や倉庫保管時に無駄なスペースを形成することなく複数の箱状容器を効率よく配置することが可能である。しかし、これらの容器は大量輸送用であるほど大型化してその重量を増し、物流過程に負担が大きく、また、空容器の回収時には無駄なスペースを大量に発生するという欠点があった。そこでこれらの頑強な箱状容器を解体式とすることによってコンパクト輸送と収納を可能とするものが提案された。（特許文献２：実用新案登録第３０５８１２６号公報）しかしこのような大型箱状容器は作業者１人が取り扱うには重過ぎ、また組み立てや解体の作業も一度に多数を扱うケースでは相当の手間と時間を要するという不便があり、さらにこれらの箱状容器では充填物の農作物が輸送時に容器内側壁に圧迫されて傷むことがしばしば発生していた。特に、じゃがいも（馬鈴薯）は一般食材用としての需要のみならず、ポテトチップスなどのスナック菓子の主原料、レトルト食品や冷凍食品などの加工食品材料として大量の需要が存在するため、その物流過程においては輸送容器の改善が強く望まれていたのである。
【０００３】
上記の理由により、じゃがいも、さつま芋、タマネギなどの地下茎農作物を輸送するのに適した、軽量で高強度を有する通気性の天部開放の大型容器であって、これらの農作物の詰め込み時に空でバッグが自立可能であり、また繰り返し使用によってバッグ本体の変形が少なく、さらに使用後には簡単に折りたたんで最小化が可能なコンテナ容器を得ることができれば、これら農作物の物流過程の合理化が加速され、さらに金属製やプラスチック製の箱状容器から、このような軽量バッグに置き換えることによって、トラック輸送燃費の大幅な軽減、延いては二酸化炭素排出量の低減に直結できることが期待される。
【特許文献１】実用新案登録第３０９７０６０号公報
【特許文献２】実用新案登録第３０５８１２６号公報
【考案の開示】
【考案が解決しようとする課題】
【０００４】
本考案は、上記の事情に鑑みてなされたもので、高強度であり、しかも軽量であって、通気性かつ充填性、自立性、繰り返し使用による形状安定性、折りたたみ性、および取り扱い性などの諸特性に優れた、じゃがいも、さつま芋、タマネギなどの地下茎農作物専用のフレキシブルメッシュ容器を提供しようとするものである。
【課題を解決するための手段】
【０００５】
本考案の農産物輸送用フレキシブルメッシュ容器は、天部開放箱型容器であって、この容器を構成し、かつ互に連続し又は縫合された底面部及び４個の側面部の各々が、合成繊維から構成され、かつ複合メッシュ組織を有する編織物からなり、
（Ａ）前記編織物の複合メッシュ組織が、前記編織物の経及び緯方向に伸び、互に間隔をおいて配置された複数の経方向広幅帯状部及び緯方向広幅帯状部とにより構成された一次大間隔メッシュ組織、並びに前記経方向広幅帯状部５の互に隣りあう１対の間に配置され、かつ前記経方向広幅帯状部の幅の１／２以下の幅を有する複数の経方向細幅帯状部及び、前記緯方向広幅帯状部の互に隣り合う１対の間に配置され、かつ前記緯方向広幅帯状部の幅の１／２以下の幅を有する複数の緯方向細幅帯状部により構成された二次小間隔メッシュ組織を含むものであり、
（Ｂ）前記経および緯方向の広幅帯状部のそれぞれの互に隣りあう１対の間隙が、前記広幅帯状部のそれぞれの幅よりも大きく、かつ
（Ｃ）前記編織物を構成する合成繊維糸条の少なくとも露出表面が、合成樹脂により被覆されていることを特徴とするものである。
本考案の農産物輸送用フレキシブルメッシュ容器において、前記箱状容器が、少なくとも１対の吊りベルトを装備しており、前記吊りベルトの各々が、前記箱状容器の互に対向する側面部の外側面及び底面部の下面に、２本の補強ベルトを互に平行に縫着し、前記２本の補強ベルトの、前記側面部の各々の上方に伸び出ている上端部をループ状に互に連続させたものであることが好ましい。
本発明の農産物輸送用フレキシブルメッシュ容器において、前記天部開放箱状容器の内側に、合成樹脂被覆メッシュ材料により形成された、仕切りが形成されていることが好ましい。
本発明の農産物輸送用フレキシブルメッシュ容器において、前記天部開放箱状容器の前記底面部が１，５００〜４０，０００cm2の面積を有し、かつ、前記底面部に直角をなす前記側面部の高さが４０〜２００cmの範囲内にあることが好ましい。
本発明の農産物輸送用フレキシブルメッシュ容器において、前記編織物の複合メッシュ組織において、前記一次大間隔メッシュ構造の経及び緯方向の、互に隣り合う広幅帯状部の中心間隔が、それぞれ２０〜３０cmであり、前記経及び緯方向広幅帯状部の幅がそれぞれ４〜１０cmであり、しかも、前記経及び緯方向広幅帯状部間隔より小さく、前記二次小間隔メッシュ構造の経及び緯方向の互に隣り合う細幅帯状部の中心間隔が、それぞれ１．５〜４．０cmであり、かつ前記経及び緯方向細幅帯状部の幅が、それぞれ０．５〜１．５cmであることが好ましい。
【考案の効果】
【０００６】
上記説明のように、本考案に係る農作物輸送用フレキシブルメッシュ容器は、複数の一次大間隔メッシュ組織を有し、この組織内部に、さらに二次小間隔メッシュ組織を多数含む２種のメッシュ組織を全面に有する合成樹脂被覆編織物を基材とすることにより、じゃがいも、さつま芋、タマネギなどの地下茎農作物充填作業時に、空の状態でバッグ本体が自立可能な硬さを有するため充填作業が極めてスムーズであるため頑強な支持枠の装着を特に必要としない。また農作物充填後には二次小間隔メッシュ部により内容物の確認ができ、この部分によって通気性が保たれるものであり、この時容器は適度な自由変形性を発現することで充填作物を傷めることを極力防止することができ、しかも仕切壁の存在により提灯状に変形することがない。さらに本考案によるフレキシブルメッシュ容器は、充填内容物の高荷重によって形状変形や寸法変形することもないので繰り返し使用が可能である。また本考案によるフレキシブルメッシュ容器は従来の金属製・プラスチック製材料容器などに比べて各段に軽量であり、しかも内容物が空の状態では容易に折りたたむことができるなど取り扱いが非常に容易で、かつ農作物の物流時に無駄なスペースを発生することがない。さらに、本考案による軽量のフレキシブルメッシュ容器を用いることにより、トラック輸送燃費の大幅な軽減と二酸化炭素排出量の低減に寄与することができるものである。
【考案を実施するための最良の形態】
【０００７】
本考案による、例えばじゃがいも、さつま芋、タマネギなどの地下茎農作物を包含する農産物を大量輸送するために用いるフレキシブルメッシュ容器（以下本考案のメッシュ容器と記することがある。）は、図１に示されているように、天部開放箱型容器１であって、この容器を構成し、かつ互に連続し又は縫合された底面部２及び４つの側面部３の各々が、合成繊維から構成され、かつ複合メッシュ組織を有する編織物から構成され、必要により吊りベルト４を有するものである。
前記編織物の複合メッシュ組織は一次大間隔メッシュ組織と、その内部に形成された二次小間隔メッシュ組織とを有するものであって、一次大間隔メッシュ組織は、図２に示されているように、前記編織物の経及び緯方向に伸び、互に間隔をおいて配置された経方向広幅帯状部５及び緯方向広幅帯状部６とによりなる一次大間隔メッシュ組織単位１７の経緯方向の繰り返えしによって構成されている。また、二次小間隔メッシュ組織は、前記経方向広幅帯状部５の互に隣りあう１対の間に配置され、かつ前記経方向広幅帯状部５の幅の１／２以下の幅を有する経方向細幅帯状部７及び、前記緯方向広幅帯状部６の互に隣り合う１対の間に配置され、かつ前記緯方向広幅帯状部６の幅の１／２以下の幅を有する緯方向細幅帯状部８によりなる二次小間隔メッシュ組織単位１８の経緯方向の繰り返えしにより構成されている。
また前記経および緯方向の広幅帯状部５及び６のそれぞれの互に隣りあう１対の間隙９及び１０は、前記広幅帯状部５及び６のそれぞれの幅１１及び１２よりも大きい。前記経緯広幅帯状部５，６及び経緯細幅帯状部７，８によって、編織物が構成され、この編織物は、合成繊維糸条により構成されている。
さらに前記編織物を構成する合成繊維糸条の少なくとも露出表面は、合成樹脂により被覆されている。
【０００８】
本考案のメッシュ容器の一例の展開図を図３に示す。メッシュ容器１は、底面部２と、それに連続又は縫合された側面部３ａ，３ｂ，３ｃ，３ｄから構成されている底面部２と側面部３ａ，３ｂとは一枚のメッシュシートから構成され、従って、底面部２と、側面部３ａ，３ｂとは折り目３ａ−１，３ｂ−１において、互に連続しており、他の側面部３ｃ，３ｄは、底面部２に、縫合部２ａ，２ｂにおいて縫合されている。底面部２及び側面部３ａ，３ｂを形成しているメッシュ状編織物と、底面部２に縫合された側面部３ｃ，３ｄとは、それぞれの経及び緯方向において、互に一致していることが好ましい。
互に対向する２面の側面部に、吊りベルトが設けられるときには、当該側面部の高さ方向、すなわち、吊りベルトの設置方向と、当該側面部を形成する編織物の経方向とが一致することが好ましい。
上記経方向とは、織物の経方向及び編物のウエール方向を包含し、上記緯方向とは、織物の緯方向及び編物のコース方向を包含する。
【０００９】
図４には、吊りベルトの配置状態を示す箱状容器１の展開図が示されている。図４において、前記メッシュ容器１に２対の吊りベルト４が装備され、この２対の吊りベルト４の各々において、メッシュ容器１の、互に対向する側面部３ａ，３ｂの外側面及び底面部２の下面に、２本の補強ベルト４ａを互に平行に縫着し、この２本の補強ベルト４ａの、側面部３ａ，３ｂの各々の上方に伸び出ている上端部４ｂがループ状に互に連続している。
吊りベルトを構成する補強ベルトは、幅５〜１０cmのベルト状多重織物からなるものである。補強ベルトは、側面部上の経・緯方向広幅帯状部５，６の交絡部の２ヶ所以上において、補強ベルトの両縁端部が、メッシュ容器の側面部に縫製結着される。本考案のメッシュ容器において、吊り上げたときのバランスをよくするために、対向する側面部の上下方向中心線に対して、対称な位置に、２対の吊りベルトが設けられることが好ましい。このためには、側面部を形成するメッシュ編織物には幅方向に経方向広幅帯状部が、４本以上含まれており、緯方向広幅帯状部と、少なくとも４ヶ所において交差していることが好ましい。吊りベルト用補強ベルト４ａは、図１及び図４に示されているように、側面部３に、縫合固定部４ｃにおいて縫合固定されてもよい。
【００１０】
本考案のメッシュ容器において、天部開放箱状容器１の内側に、合成樹脂被覆メッシュ材料により形成された、仕切りが形成されていてもよい。この仕切りは、好ましくは側面部３に平行に設けられ、それにより箱状容器の内部空間が、２室以上に分割されていてもよい。仕切り用メッシュ材料の構造組織、寸法、形状などに格別の制限はないが、箱状容器の底面部及び側面部を、形成する合成樹脂被覆合成繊維糸条からなるメッシュ編織物を用いてもよく、或は粗目織物を用いてもよい。前記仕切り用粗目織物は、５５５〜３３３３dtex（５００〜３０００デニール）の合成繊維糸条からなる織物に合成樹脂被覆を施して得られ、好ましくは経緯密度１〜１２本／２．５４cm、より好ましくは３〜８本／２．５４cmを有するものである。仕切り用メッシュ材料を構成する合成繊維糸条の、少なくとも露出表面が、合成樹脂により被覆されていることが好ましい。
仕切りは、側面部の１つに平行に設けられてもよく、或は、斜交する方向に設けられてもよい。例えば、対応する１対の側面部に平行に１個又は２個以上の仕切りを設けてもよく、底面部の対角線の上に、Ｘ字型に設けられてもよい。仕切りの高さは側面部の高さの３０〜１００％であることが好ましく、例えば８０％程度であってもよい。
【００１１】
メッシュ容器を形成する編織物用合成繊維糸条は、好ましくはポリエステル繊維、ナイロン繊維、ビニロン（商標）繊維、ポリプロピレン繊維、アラミド繊維、芳香族複素環ポリマーなどから構成される。合成繊維糸条は、長繊維糸条（モノフィラメント糸条及びマルチフィラメント糸条）、短繊維紡績糸、テープヤーンなどのいずれであってもよく、また、その糸繊度及び累繊維繊度などにも格別の制限はなく、容器に要求される性能に応じて適宜設定することができる。
【００１２】
前記合成繊維糸条を被覆する合成樹脂は、例えばポリ塩化ビニル樹脂、アクリル樹脂、ウレタン樹脂、酢酸ビニル樹脂などから選ばれた１種以上の熱可塑性樹脂を含むものであってもよい。被覆用合成樹脂による被覆は、合成繊維糸条に対して、施されてもよく、或は、編織物に対して施されていてもよいが、編織物中の合成樹脂糸条の少なくとも露出表面が、合成樹脂により被覆されていることが必要であり、このようにすることによって、編織物の表面強度が増進するのみならず、その機械的強度も増進する。
本考案のメッシュ容器は、例えば食料用農産物としてじゃがいも、さつま芋、たまねぎなどの輸送、保管に繰り返して使用されるため被覆用合成樹脂は、例えば厚生省告示第２０号適合の無毒配合を用いることが好ましく、さらにホルモン撹乱物質などの特定化学物質を回避することが好ましい。また合成樹脂被覆メッシュ編織物の厚さは、１．０〜３．０mmであることが好ましく、より好ましくは１．５〜２．０mmである。厚さが３．０mmを超えるとメッシュ容器の質量が重くなり、またそれが１．０mm未満では得られるメッシュ容器の形態安定性が悪くなり、いずれの場合も取り扱いが困難となる。
【００１３】
本考案のメッシュ容器は、それが天部開放箱状体である限り、その寸法、形状に格別の制限はないが、その底面部は１，５００〜４０，０００cm2の面積を有することが好ましく、より好ましい底面部面積は、７，０００〜１９，２００cm2であり、この底面部に直角をなす側面部の高さは、４０〜２００cmであることが好ましく、１００〜１６０cmであることがより好ましい。例えば箱状容器の寸法は、幅１５０cm、奥行９０cm、高さ１５０cmの直角六面体の形状を有することが好ましい。
【００１４】
本考案のメッシュ容器用編織物の複合メッシュ組織において、好ましくは前記一次大間隔メッシュ構造の経及び緯方向の、互に隣り合う広幅帯状部の中心間隔９，１０が、それぞれ２０〜３０cmであり、より好ましくは２５〜３０cmであり、前記経及び緯方向広幅帯状部の幅１１，１２がそれぞれ４〜１０cmであり、より好ましくは４〜６cmであり、しかし、前記経及び緯方向広幅帯状部間隔より小さく、前記二次小間隔メッシュ構造の経及び緯方向の互に隣り合う細幅帯状部の中心間隔１３，１４が、それぞれ１．５〜４．０cmであり、より好ましくは２〜３cmであり、かつ前記経及び緯方向細幅帯状部の幅１５，１６が、それぞれ０．５〜１．５cmであり、より好ましくは０．５〜１．０cmである。また、一次大間隔メッシュ組織１単位当りに含まれる経緯各方向の細幅帯状体の数は、６〜１５本であることが好ましく、より好ましくは８〜１２本である。
【００１５】
前記一次大間隔メッシュ組織を形成する経緯方向広幅帯状部の一例において、経方向広幅帯状部は、１１１１〜３３３３dtex（１０００〜３０００デニール）の合成繊維糸条を、経糸８〜２２本／２．５４cm、緯糸８〜２４本／２．５４cmの編み込み密度で、編成して製造された編物により構成されていることが好ましく、また緯方向広幅帯状部の一例は、２２２２〜１１，１１１dtex（２０００〜１００００デニール）の合成繊維糸条（無撚り〜甘撚り糸条）を、４〜１２本／２．５４cmの密度で引揃えて構成されるものであることが好ましい。上記構造の経方向広幅帯状部は、形態安定性にすぐれており、また上記構造を有する緯方向広幅帯状部を構成する合成繊維糸条の各々は、経方向広幅帯状部又は経方向細幅帯状部との交絡点において、２分割されて、それぞれ、１１１１〜５５５５dtex（１０００〜５０００デニール）の糸条となって、経方向広幅帯状部又は経方向細幅帯状部を構成する糸条と交絡する。緯方向広幅帯状部を構成する糸条は、緯方向細幅帯状部を形成するためにも用いることができる。
【００１６】
経方向細幅帯状部の一例を形成する。糸条は、１１１１〜３３３３dtex（１０００〜３０００デニール）の合成繊維糸条を、経糸密度８〜２２本／２．５４cm、緯糸密度８〜２４本／２．５４cmで編み込んで製造された編物であることが好ましく、このような編物構造は、経方向細幅帯状部の形態安定性を高めることができる。また、緯方向細幅帯状部の一例は、２２２２〜１１１１１dtex（２０００〜１００００デニール）の無撚り〜甘撚り合成マルチフィラメント糸条を、密度４〜１２本／２．５４cmで打ち込んで、形成されたものであることが好ましい。この緯方向細幅帯状部は、経方向細幅帯状部又は経方向広幅帯状部と交差したとき、各合成マルチフィラメント糸条は２以上に分割され、この分割糸条の各々（１１１１〜５５５５dtex）が、経方向細幅帯状部又は経方向広幅帯状部を構成する糸条と交絡する。
【００１７】
上記の複合メッシュ組織により、本考案のメッシュ容器は、それに収容された農産物を、容器外から（特に側面部から）目視確認することができ、また、容器に良好な通気性を付与することができる。
さらに、前記複合メッシュ組織は、メッシュ容器に、適度の変形を可能にし、それによって、収容物に対して、適度のクッション効果を発揮することができるので、輸送途中の収容農産物の振動などによる擦れ損傷を軽減することができる。
さらに、前記複合メッシュ組織は、本考案のメッシュ容器の質量を著しく軽減し、かつ高い組織安定性により収容物を取り出した後、空になった容器を折りたたんで、その占有体積を著しく小さくし、収縮、輸送を容易にすることができる。
【実施例】
【００１８】
図２に示される複合メッシュ組織を有するメッシュ編織物を、製造した。
経方向広幅帯状部を、２２２２dtexのポリエステルマルチフィラメント糸条を、経密度２２本／２．５４cm、緯密度１５本／２．５４cmで編み込んで、形成された編物組織により、幅４cmに形成し、緯方向広幅帯状部を、６６６６dtexのポリエステルマルチフィラメント糸条１３本を、経密度７．５本／２．５４cmに打ち込んで、幅５cmに形成し、経方向細幅帯状部を、２２２２dtexのポリエステルマルチフィラメント糸条を、経密度２２本／２．５４cm、緯密度１５本／２．５４cmで編み込んで、形成された編物組織により、幅０．７cmに形成し、緯方向細幅帯状部を、６６６６dtexのポリエステルマルチフィラメント糸条６本を、経密度７．５本／cmで打ち込んで、幅１．４cmに形成した。
経方向広幅帯状部の中心間隔は３０cmであり、緯方向広幅帯状部の中心間隔は３０cmであり、一次大間隔メッシュ組織１単位に含まれる経方向細幅帯状部の数は１２本であり、緯方向細幅帯状部の数は８本であり、経方向細幅帯状部の中心間隔は３cmであり、緯方向細幅帯状部の中心間隔は３cmであった。
【００１９】
得られた上記メッシュ編織物（製織幅１６０cm：質量４００ｇ／ｍ2）を、厚生省告示第２０号に適合する無毒配合により調製された塩化ビニル樹脂プラスチゾル浴中にディッピングし、これを引き上げると同時にマングルロールで圧搾し、これを加熱してゲル化させることによって、メッシュ編織物を構成する合成繊維糸条内部に軟質塩化ビニル樹脂が含浸固着し、かつ合成繊維糸条の露出表面が軟質塩化ビニル樹脂により被覆された合成樹脂被覆メッシュ材料（質量８５０ｇ／ｍ2）を得た。この合成樹脂被覆メッシュ材料を用いて、幅１５０cm、奥行９０cm、高さ１５０cmの天部開放箱型容器を形成した。得られた容器の底面部の面積は、１３５００cm2であった。
容器の幅方向を規定する１対の側面部と底面部に、幅４cmのポリエステルマルチフィラメント糸条製スリング補強ベルトにより、２対の吊りベルトを配置縫着した。得られたメッシュ容器の質量は８．５kgであった。
【００２０】
このメッシュ容器に、１４００kgのじゃがいもを、収容し、トラックに積載して、１０００kmの距離を輸送した後に、収容されたじゃがいもの品質をチェックした。その品質は良好であった。また、輸送中に、容器の変形は認められなかった。
【産業上の利用可能性】
【００２１】
本考案のメッシュ容器は高強度かつ軽量、通気性かつ充填性、自立性かつ繰り返し使用による形状安定性、折りたたみ性かつ取り扱い性などの諸特性に優れ、じゃがいも、さつま芋、タマネギなどの地下茎農作物の輸送用、かつ倉庫貯蔵用に有用なフレキシブルメッシュバッグの提供を可能とするものである。また本考案のメッシュバッグは、かぼちゃ、人参、大根、里芋、とうもろこし、たけのこなどの野菜類、及びジュース用の、りんご、梨、みかん、パイナップル、グレープフルーツ、葡萄などの果物類の物流・貯蔵用に用いることもできるものである。そしてこれら農作物の物流過程の合理化が加速され、さらに金属製やプラスチック製の輸送用箱状容器からこのような軽量バッグに置き換えることによってトラック輸送燃費の大幅な軽減、延いては二酸化炭素排出量の低減に直結できることが予想される。
【図面の簡単な説明】
【００２２】
【図１】本考案の農産物輸送用フレキシブルメッシュ容器（吊りベルト付き）の一例の斜視説明図。
【図２】本考案の農産物輸送用フレキシブルメッシュ容器の天部開放箱型容器を構成する編織物の複合メッシュ組織の一例の組織説明図。
【図３】本考案の農産物輸送用フレキシブルメッシュ容器の一例の展開説明図。
【図４】本考案の吊りベルト付き農産物輸送用フレキシブルメッシュ容器の一例の展開説明図。
【符号の説明】
【００２３】
１    天部開放箱型容器（吊りベルト付き）
２    底面部
２ａ，２ｂ    縫合部
３，３ａ，３ｂ，３ｃ，３ｄ    側面部
３ａ−１，３ｂ−１    折り目
４    吊りベルト
４ａ    補強ベルト
４ｂ    ループ状上端部
４ｃ    補強ベルトの縫合固定部
５    経方向広幅帯状部
６    緯方向広幅帯状部
７    経方向細幅帯状部
８    緯方向細幅帯状部
９    経方向広幅帯状部の中心間隔
１０    緯方向広幅帯状部の中心間隔
１１    経方向広幅帯状部の幅
１２    緯方向広幅帯状部の幅
１３    経方向細幅帯状部の中心間隔
１４    緯方向細幅帯状部の中心間隔
１５    経方向細幅帯状部の幅
１６    緯方向細幅帯状部の幅
１７    一次大間隔メッシュ組織の繰り返えし単位
１８    二次小間隔メッシュ組織の繰り返えし単位
【図１】
0003119799.tif 000003
【図２】
0003119799.tif 000004
【図３】
0003119799.tif 000005
【図４】
0003119799.tif 000006